(57)【要約】【課題】  塗布用ノズルの先端部に付着された塗液を清掃部材によって適切に除去されて、塗布用ノズルの先端部を安定して清掃できるようにする。【解決手段】  被塗布体Wの上を走行する塗布用ノズル20の先端面21に設けたスリット状の吐出口22から塗液xを吐出させて、塗液を被塗布体の表面に塗布させた後、塗布用ノズルの先端部に残った塗液を清掃部材によって除去する清掃装置30において、塗布用ノズルの走行方向に所要間隔を介して設けた第１清掃部材33と第２清掃部材34とに塗布用ノズルの先端部の形状に対応した清掃用掻き取り部33a,34aを設けると共に、第１と第２の清掃部材を塗布用ノズルの先端部の長手方向に向けて逆方向に傾斜させ、これらの清掃部材における清掃用掻き取り部を塗布用ノズルの先端部に沿わせるようにして、第１と第２の清掃部材とを順番に逆方向に移動させて、塗布用ノズルの先端部を清掃する【選択図】  図９
2020011186.tif 000002
【特許請求の範囲】
【請求項１】
被塗布体の上を走行する塗布用ノズルの先端面に設けられたスリット状の吐出口から塗液を吐出させて、被塗布体の表面に塗液を塗布させた後、スリット状の吐出口が設けられた塗布用ノズルの先端部に残った塗液を、塗布用ノズルの先端部に沿って移動する清掃部材によって除去して、塗布用ノズルの先端部を清掃する塗布用ノズルの清掃装置において、前記の清掃部材として、前記の塗布用ノズルの先端部の形状に対応した清掃用掻き取り部を設けた第１清掃部材と第２清掃部材とを前記の塗布用ノズルの走行方向に所要間隔を介するように設けると共に、前記の第１清掃部材と第２清掃部材とを、前記の塗布用ノズルの走行方向と交差する塗布用ノズルの先端部の長手方向において逆方向に向けて傾斜させ、前記の第１清掃部材と第２清掃部材とにおける清掃用掻き取り部を塗布用ノズルの先端部に沿うようにして、第１清掃部材と第２清掃部材とを順番にそれぞれ塗布用ノズルの先端部に沿って逆方向に移動させて、塗布用ノズルの先端部を清掃することを特徴とする塗布用ノズルの清掃装置。
【請求項２】
請求項１に記載の塗布用ノズルの清掃装置において、前記の第１清掃部材と第２清掃部材とを、それぞれ塗布用ノズルの先端部を清掃する場合の移動方向に向けて傾斜させたことを特徴とする塗布用ノズルの清掃装置。
【請求項３】
請求項１又は請求項２に記載の塗布用ノズルの清掃装置において、前記の第１清掃部材の移動方向下流側にスリット状の吐出口が設けられた塗布用ノズルの先端面を清掃する第１先端面清掃部材を設けると共に、前記の第２清掃部材の移動方向下流側にスリット状の吐出口が設けられた塗布用ノズルの先端面を清掃する第２先端面清掃部材を設けたことを特徴とする塗布用ノズルの清掃装置。
【請求項４】
請求項１〜請求項３の何れか１項に記載の塗布用ノズルの清掃装置において、塗布用ノズルの先端部を前記の第１清掃部材と第２清掃部材とによって清掃するにあたり、前記の塗布用ノズルを前記の第１清掃部材と第２清掃部材とに対して相対的に昇降・移動可能に設け、前記の塗布用ノズルの先端部を前記の第１清掃部材における清掃用掻き取り部内に導き、この第１清掃部材によって塗布用ノズルの先端部を清掃し、次いで、前記の塗布用ノズルの先端部を第２清掃部材における清掃用掻き取り部内に導き、この第２清掃部材によって塗布用ノズルの先端部を清掃することを特徴とする塗布用ノズルの清掃装置。
【発明の詳細な説明】
【技術分野】
【０００１】
本発明は、ガラス板等の被塗布体の表面に様々な塗液を塗布するテーブルコータ（「登録商標」：以下、省略する。）に使用する塗布用ノズルにおいて、塗液を吐出させるスリット状の吐出口が設けられた塗布用ノズルの先端部を清掃する塗布用ノズルの清掃装置に関するものである。特に、被塗布体の上を走行する塗布用ノズルの先端面に設けられたスリット状の吐出口から塗液を吐出させて、被塗布体の表面に塗液を塗布させた後、スリット状の吐出口が設けられた塗布用ノズルの先端部に残った塗液を、塗布用ノズルの先端部に沿って移動する清掃部材によって除去して、塗布用ノズルの先端部を清掃するようにした塗布用ノズルの清掃装置において、前記の塗布用ノズルの先端部から除去させた塗液の一部が清掃部材に付着し、塗布用ノズルの先端部に残った塗液を清掃部材によって除去して清掃する操作を何度か行った場合に、清掃部材に付着した塗液が次第に蓄積し、このように蓄積された塗液が清掃部材から塗布用ノズルの先端部に付着して被塗布体やその周辺に付与されて塗工不良が生じるのを確実に防止し、特に粘度の高い塗液を用いた場合においても、清掃部材に付着して蓄積された塗液が塗布用ノズルの先端部に付着して被塗布体やその周辺に付与されないようにし、塗布用ノズルの先端部を清掃部材によって安定して十分に清掃できるようにした点に特徴を有するものである。
【背景技術】
【０００２】
プラズマディスプレーパネル，有機エレクトロルミネッセンスディスプレーパネル，液晶ディスプレーパネル等を製造するにあたり、従来からテーブルコータが使用されており、このようなテーブルコータにおいては、塗液を吐出させるスリット状の吐出口が先端部に設けられた塗布用ノズルを使用し、この塗布用ノズルを前記のような被塗布体の上を移動させながら、この塗布用ノズルの先端部に設けられたスリット状の吐出口から塗液を被塗布体の表面に吐出させて、被塗布体の表面に塗液を塗布するようにしている。
【０００３】
しかし、このようにして被塗布体の表面に塗液を塗布させた場合、前記の塗布用ノズルの先端部における前記の吐出口やその周辺部分に塗液が部分的に残った状態になる。
【０００４】
そして、このように塗液が部分的に残った塗布用ノズルにより次の被塗布体の表面に塗液を塗布した場合には、塗布用ノズルの先端部に残った前記の塗液によって、次の被塗布体の表面に塗布された塗液に筋状の塗布むら等が発生するという問題があった。
【０００５】
このため、従来においては、前記のように塗布用ノズルの先端部における吐出口から塗液を被塗布体の表面に塗布した後、この塗布用ノズルを被塗布体から離れた位置に設けられた清掃装置に導き、特許文献１〜３に示すように、この清掃装置に設けられた清掃部材を塗布用ノズルの先端部に沿って移動させて、塗布用ノズルの先端部に残った塗液を、清掃部材によって塗布用ノズルの先端部から掻き取って除去させることが提案されている。
【０００６】
ここで、前記の塗布用ノズルとしては、一般に、前記の特許文献１〜３に示されるように、スリット状の吐出口が設けられた塗布用ノズルの先端における細長の先端面の両側に、上方に向かってテーパー状に広がったＶ字状になったリップ斜面が設けられた、先端部が略Ｖ字状になったものを用いている。一方、前記の塗布用ノズルの先端部を清掃する清掃装置において、前記の清掃部材としては、塗布用ノズルの先端部における細長の先端面とその両側に設けられたＶ字状になったリップ斜面とに接触して、これらに残った塗液を除去させるように略Ｖ字状に切込みを付けた清掃用掻き取り部を設けたものを用いるようにしている。
【０００７】
また、特許文献１では、Ｖ字状に切込みを付けた清掃用掻き取り部だけではなく、Ｖ字状の左右の斜面をそれぞれ別の清掃用掻き取り部としたものを組み合わせたものが示されている。
【０００８】
そして、従来においては、前記のように塗液を被塗布体の表面に塗布した後の塗布用ノズルを前記の清掃装置に導き、塗布用ノズルの先端部を前記の清掃部材における清掃用掻き取り部内の切込み等に嵌め込んで、塗布用ノズルの先端部における細長の先端面とその両側に設けられたＶ字状になったリップ斜面とを清掃部材における清掃用掻き取り部に接触させ、この状態で、前記の清掃部材を塗布用ノズルの先端部に沿って移動させて、塗布用ノズルの先端部に残った塗液を、前記の清掃部材によって塗布用ノズルの先端部から除去させるようにしている。
【０００９】
しかし、このようにして塗布用ノズルの先端部に残った塗液を前記の清掃部材によって塗布用ノズルの先端部から除去させるようにした場合、塗布用ノズルの先端部から除去させた塗液が前記の清掃部材に付着して残り、特に、粘度の高い塗液の場合には、清掃部材に付着した塗液が清掃部材から流れ落ちずに残り、清掃部材に付着して残る塗液の量が次第に増加し、このように清掃部材に付着して残った塗液が次第に固化した。
【００１０】
そして、このように清掃部材に付着して残って次第に固化した塗液が、塗布用ノズルの先端部における塗工部分や塗工部分外に付着し、このように固化した塗液が付着した塗布用ノズルを用いて被塗布体の表面に新しい塗液を塗布させた際に、塗工部分や塗工部分外に固化した塗液が異物として付着し、塗工不良が生じるという問題があった。
【００１１】
ここで、前記の特許文献１〜３においては、このように清掃部材に付着して残って固化した塗液が、塗布用ノズルの先端部における塗工部分や塗工部分外に付着し、このような塗布用ノズルによって被塗布体の表面に塗液を塗布した際に、塗工部分や塗工部分外に異物が付着して塗工不良が生じるのを防止することに関しては、特に解決手段は示されていない。
【先行技術文献】
【特許文献】
【００１２】
【特許文献１】特開２００８−１４９２４７号公報
【特許文献２】特開２０１２−１８５４０４号公報
【特許文献３】特開２０１１−１６７６０７号公報
【発明の開示】
【発明が解決しようとする課題】
【００１３】
本発明は、ガラス板等の被塗布体の表面に様々な塗液を塗布するテーブルコータに使用する塗布用ノズルにおいて、塗液を吐出させるスリット状の吐出口が設けられた塗布用ノズルの先端部を清掃する塗布用ノズルの清掃装置における前記のような問題を解決することを課題とするものである。
【００１４】
そして、本発明における塗布用ノズルの清掃装置においては、被塗布体に対して塗布用ノズルを移動させ、前記の塗布用ノズルの先端面に設けられたスリット状の吐出口から塗液を被塗布体の表面に塗布した後、この塗布用ノズルを清掃装置に導き、スリット状の吐出口が設けられた塗布用ノズルの先端部に残った塗液を、塗布用ノズルの先端部に沿って移動する清掃部材によって除去して、塗布用ノズルの先端部を清掃するにあたり、塗布用ノズルの先端部から除去された塗液の一部が清掃部材に付着されて蓄積され、このように蓄積された塗液が清掃部材から塗布用ノズルの先端部に付着されても、付着された塗液が清掃部材によって塗布用ノズルの先端部から適切に除去されるようにして、塗工不良が生じるのを確実に防止し、特に粘度の高い塗液を用いた場合においても、清掃部材に付着して蓄積された塗液が塗布用ノズルの先端部に付着して被塗布体やその周辺に付与されないようにし、塗布用ノズルの先端部を清掃部材によって安定して十分に清掃できるようにすることを課題とするものである。
【課題を解決するための手段】
【００１５】
本発明に係る塗布用ノズルの清掃装置においては、前記のような課題を解決するため、被塗布体の上を走行する塗布用ノズルの先端面に設けられたスリット状の吐出口から塗液を吐出させて、被塗布体の表面に塗液を塗布させた後、スリット状の吐出口が設けられた塗布用ノズルの先端部に残った塗液を、塗布用ノズルの先端部に沿って移動する清掃部材によって除去して、塗布用ノズルの先端部を清掃する塗布用ノズルの清掃装置において、前記の清掃部材として、前記の塗布用ノズルの先端部の形状に対応した清掃用掻き取り部を設けた第１清掃部材と第２清掃部材とを前記の塗布用ノズルの走行方向に所要間隔を介するように設けると共に、前記の第１清掃部材と第２清掃部材とを、前記の塗布用ノズルの走行方向と交差する塗布用ノズルの先端部の長手方向において逆方向に向けて傾斜させ、前記の第１清掃部材と第２清掃部材とにおける清掃用掻き取り部を塗布用ノズルの先端部に沿うようにして、第１清掃部材と第２清掃部材とを順番にそれぞれ塗布用ノズルの先端部に沿って逆方向に移動させて、塗布用ノズルの先端部を清掃するようにした。
【００１６】
そして、本発明に係る塗布用ノズルの清掃装置のように、清掃部材として、塗布用ノズルの先端部の形状に対応した清掃用掻き取り部を設けた第１清掃部材と第２清掃部材とを前記の塗布用ノズルの走行方向に所要間隔を介するように設け、第１清掃部材と第２清掃部材とを、塗布用ノズルの走行方向と交差する塗布用ノズルの先端部の長手方向において逆方向に向けて傾斜させ、第１清掃部材と第２清掃部材とにおける清掃用掻き取り部を塗布用ノズルの先端部に沿うようにして、第１清掃部材と第２清掃部材とを順番にそれぞれ塗布用ノズルの先端部に沿って逆方向に移動させて、塗布用ノズルの先端部を清掃すると、塗布用ノズルの先端部から除去された塗液の一部が一方の清掃部材に付着されて蓄積され、このように蓄積された塗液が一方の清掃部材から塗布用ノズルの先端部に付着されても、付着された塗液が他方の清掃部材によって塗布用ノズルの先端部から適切に除去されるようになる。
【００１７】
ここで、本発明に係る塗布用ノズルの清掃装置において、前記の第１清掃部材と第２清掃部材とを、塗布用ノズルの走行方向と交差する塗布用ノズルの先端部の長手方向において逆方向に向けて傾斜させるにあたり、第１清掃部材と第２清掃部材とを、それぞれ塗布用ノズルの先端部を清掃する場合の移動方向に向けて傾斜させることが好ましい。このようにすると、ポリイミド等のような粘度の高い塗液を使用した場合においても、塗布用ノズルの先端部に残った塗液が、前記のように移動方向に向けて傾斜させた第１清掃部材や第２清掃部材によって下方向に確実に掻き落とせるようになって、塗布用ノズルの先端部に残った塗液を十分に除去させることができるようになる。
【００１８】
また、本発明に係る塗布用ノズルの清掃装置において、前記の第１清掃部材の移動方向下流側にスリット状の吐出口が設けられた塗布用ノズルの先端面を清掃する第１先端面清掃部材を設けると共に、前記の第２清掃部材の移動方向下流側にスリット状の吐出口が設けられた塗布用ノズルの先端面を清掃する第２先端面清掃部材を設けることができる。このようにすると、被塗布体の上を走行する塗布用ノズルの先端面に設けられたスリット状の吐出口から塗液を被塗布体の表面に吐出させて、被塗布体の表面に塗液を塗布させた後、スリット状の吐出口が設けられた塗布用ノズルの先端面に残った塗液を、前記の第１先端面清掃部材と第２先端面清掃部材とによって確実に除去して清掃することができるようになる。なお、前記の第１先端面清掃部材と第２先端面清掃部材とを設ける場合、前記の第１清掃部材と第２清掃部材との場合と同様に、それぞれ塗布用ノズルの先端部を清掃する時における移動方向に向けて傾斜させることが好ましい。
【００１９】
また、本発明に係る塗布用ノズルの清掃装置において、粘度の低い塗液を使用した場合には、第１清掃部材と第２清掃部材とを、それぞれ塗布用ノズルの先端部を清掃する場合の移動方向と反対方向に向けて傾斜させる方法も有効である。
【００２０】
また、本発明に係る塗布用ノズルの清掃装置において、塗布用ノズルの先端部を前記の第１清掃部材と第２清掃部材とによって清掃するにあたっては、前記の塗布用ノズルを前記の第１清掃部材と第２清掃部材とに対して相対的に昇降・移動可能に設け、前記の塗布用ノズルの先端部を前記の第１清掃部材における清掃用掻き取り部内に導き、この第１清掃部材によって塗布用ノズルの先端部を清掃させ、次いで、前記の塗布用ノズルの先端部を第２清掃部材における清掃用掻き取り部内に導き、この第２清掃部材によって塗布用ノズルの先端部を清掃させるようにすることができる。この場合、塗布用ノズルを昇降・移動させる他、第１清掃部材及び第２清掃部材の両方を昇降・移動させるようにすることができるが、操作の容易性の点からは、塗布用ノズルの方を昇降・移動させるようにすることが好ましい。
【発明の効果】
【００２１】
本発明における塗布用ノズルの清掃装置においては、前記のように清掃部材として、塗布用ノズルの先端部の形状に対応した清掃用掻き取り部を設けた第１清掃部材と第２清掃部材とを前記の塗布用ノズルの走行方向に所要間隔を介するように設け、第１清掃部材と第２清掃部材とを、塗布用ノズルの走行方向と交差する塗布用ノズルの先端部の長手方向において逆方向に向けて傾斜させ、第１清掃部材と第２清掃部材とにおける清掃用掻き取り部を塗布用ノズルの先端部に沿うようにして、第１清掃部材と第２清掃部材とを順番にそれぞれ塗布用ノズルの先端部に沿って逆方向に移動させて、塗布用ノズルの先端部を第１清掃部材と第２清掃部材とによって清掃させるようにしたため、塗布用ノズルの先端部から除去された塗液の一部が一方の清掃部材に付着されて蓄積され、このように蓄積された塗液が一方の清掃部材から塗布用ノズルの先端部に付着されても、付着された塗液が他方の清掃部材によって塗布用ノズルの先端部から適切に除去されるようになる。
【００２２】
ここで、第１清掃部材と第２清掃部材を順番にそれぞれ塗布用ノズルの先端部に沿って逆方向に移動させる方法としては、第１清掃部材を移動させた後に、第２清掃部材を移動させるだけでよいが、それを複数回行ってもよい。
【００２３】
この結果、本発明における塗布用ノズルの清掃装置においては、清掃部材に付着されて蓄積された塗液が清掃部材から塗布用ノズルの先端部に付着されても、付着された塗液が塗布用ノズルの先端部から適切に除去されるようになり、塗工不良が生じるのを確実に防止することができ、特に粘度の高い塗液を用いた場合においても、清掃部材に付着して蓄積された塗液が塗布用ノズルの先端部に付着して被塗布体やその周辺に付与されないようにし、塗布用ノズルの先端部を清掃部材によって安定して十分に清掃できるようになる。
【図面の簡単な説明】
【００２４】
【図１】本発明の一実施形態に係る塗布用ノズルの清掃装置を用いた塗布装置の概略説明図である。
【図２】前記の塗布装置において、塗布用ノズルをテーブルにセットさせた被塗布体の上を走行させながら、塗布用ノズルの先端面に設けられたスリット状の吐出口から塗液を吐出させて、被塗布体の表面に塗液を塗布させる状態を示した概略説明図である。
【図３】前記の塗布装置において、塗布用ノズルをテーブルにセットさせた被塗布体の上を走行させながら、塗布用ノズルの先端面に設けられたスリット状の吐出口から塗液を吐出させて、被塗布体の表面全体に塗液を塗布させた状態を示した概略説明図である。
【図４】前記の塗布装置において、被塗布体の表面に塗液を塗布させた後の塗布用ノズルの先端部に塗液が残った状態を示し、（Ａ）は塗布用ノズルの概略側面図、（Ｂ）は塗布用ノズルの概略断面図である。
【図５】前記の実施形態に係る塗布用ノズルの清掃装置において、先端部に塗液が残った状態にある塗布用ノズルを清掃装置における第１清掃部材の位置に導いて、塗液が残った状態にある塗布用ノズルの先端部を第１清掃部材における清掃用掻き取り部内に装入させる状態を示した概略説明図である。
【図６】前記の実施形態に係る塗布用ノズルの清掃装置において、前記の第１清掃部材と第１先端面清掃部材とを、塗液が残った状態にある塗布用ノズルの先端部の長手方向に沿って移動させて、塗布用ノズルの先端部を清掃させる状態を示し、（Ａ）は塗液が残った状態にある塗布用ノズルの先端部に向けて第１清掃部材及び第１先端面清掃部材を移動させる状態を示した概略説明図、（Ｂ）は前記の第１清掃部材及び第１先端面清掃部材を塗布用ノズルの先端部に沿って移動させて塗布用ノズルの先端部に残った塗液を除去させて清掃した場合に、除去された塗液の一部が第１清掃部材や第１先端面清掃部材に付着した状態を示した概略説明図である。
【図７】前記の実施形態に係る塗布用ノズルの清掃装置において、第１清掃部材及び第１先端面清掃部材によって清掃させた後の塗布用ノズルを、清掃装置における第１清掃部材の位置から第２清掃部材の位置に導いて、塗布用ノズルの先端部を第２清掃部材における清掃用掻き取り部の切込み内に装入させる状態を示した概略説明図である。
【図８】前記の実施形態に係る塗布用ノズルの清掃装置において、前記の第２清掃部材と第２先端面清掃部材とを、塗布用ノズルの先端部の長手方向に沿って前記の第１清掃部材及び第１先端面清掃部材と逆方向に移動させて、塗布用ノズルの先端部を清掃させる状態を示し、（Ａ）は第１清掃部材及び第１先端面清掃部材によって清掃させた後の塗布用ノズルの先端部に向けて、第２清掃部材及び第２先端面清掃部材を第１清掃部材及び第１先端面清掃部材と逆方向に移動させる状態を示した概略説明図、（Ｂ）は前記の第２清掃部材及び第２先端面清掃部材を塗布用ノズルの先端部に沿って第１清掃部材及び第１先端面清掃部材と逆方向に移動させて、塗布用ノズルの先端部をさらに清掃させた後の状態を示した概略説明図である。
【図９】前記の実施形態に係る塗布用ノズルの清掃装置において、何度か使用した後における塗布用ノズルの先端部に残った塗液を、塗布用ノズルの先端部から清掃させるにあたり、除去された塗液の一部が付着された状態にある第１清掃部材と第１先端面清掃部材とを、塗液が残った状態にある塗布用ノズルの先端部の長手方向に沿って移動させて、塗布用ノズルの先端部を清掃させた後、第１清掃部材や第１先端面清掃部材に残っていた塗液が付着した前記の塗布用ノズルの先端部に対して、前記の第２清掃部材と第２先端面清掃部材とを塗布用ノズルの先端部の長手方向に沿って第１清掃部材及び第１先端面清掃部材と逆方向に移動させて、塗布用ノズルの先端部に残っていた塗液を除去させて清掃する状態を示し、（Ａ）は塗液が残った状態にある塗布用ノズルの先端部に向けて前記の第１清掃部材及び第１先端面清掃部材を移動させる状態を示した概略説明図、（Ｂ）は前記の第１清掃部材及び第１先端面清掃部材を塗布用ノズルの先端部に沿って移動させて塗布用ノズルの先端部に残った塗液を除去させて清掃した場合に、第１清掃部材や第１先端面清掃部材に残っていた塗液が塗布用ノズルの先端部に付着して残った状態を示した概略説明図、（Ｃ）は第１清掃部材及び第１先端面清掃部材により清掃させた後に塗液の一部が残った塗布用ノズルの先端部に向けて、第２清掃部材及び第２先端面清掃部材を第１清掃部材及び第１先端面清掃部材と逆方向に移動させる状態を示した概略説明図、（Ｄ）は前記の第２清掃部材及び第２先端面清掃部材を塗布用ノズルの先端部に沿って第１清掃部材及び第１先端面清掃部材と逆方向に移動させて、第１清掃部材及び第１先端面清掃部材から塗布用ノズルの先端部に付着した塗液を除去して清掃させた後の状態を示した概略説明図である。
【発明を実施するための最良の形態】
【００２５】
以下、本発明の実施形態に係る塗布用ノズルの清掃装置を添付図面に基づいて具体的に説明する。なお、本発明に係る塗布用ノズルの清掃装置は、下記の実施形態に示したものに限定されず、発明の要旨を変更しない範囲において、適宜変更して実施できるものである。
【００２６】
ここで、この実施形態においては、図１に示すように、ガラス板等の被塗布体Ｗをテーブルコータ１０におけるテーブル１１の上にセットし、このようにセットされた被塗布体Ｗの上を、走行用レール１２に沿って走行する走行部材１３に塗布用ノズル２０を取り付け、この走行部材１３によって塗布用ノズル２０を前記の被塗布体Ｗの上を走行させるようにしている。
【００２７】
そして、この塗布用ノズル２０から塗液ｘを被塗布体Ｗの表面に吐出させて、被塗布体Ｗの表面に塗液ｘを塗布するようにしている。
【００２８】
ここで、前記のように塗布用ノズル２０によって被塗布体Ｗの表面に塗液ｘを塗布するにあたり、図２に示すように、塗布用ノズル２０としては、塗布用ノズル２０の走行方向と直交する方向に延びた前記の被塗布体Ｗと対向する細長い先端面２１に、塗液ｘを被塗布体Ｗの表面に吐出させるスリット状の吐出口２２が設けられると共に、この先端面２１の両側に上方に向かってテーパー状に広がったＶ字状になったリップ斜面２３が設けられて、先端部が略Ｖ字状になったものを用いている。
【００２９】
そして、この塗布用ノズル２０の内部に設けられたマニホールド２４に、塗液供給タンク（図示せず）に収容された塗液ｘを供給し、このマニホールド２４に供給された塗液ｘを、案内路２５を通して塗布用ノズル２０の先端面２１に設けた前記のスリット状になった吐出口２２に導いて、この吐出口２２から塗液ｘを被塗布体Ｗの表面に吐出させて、被塗布体Ｗの表面に塗液ｘを塗布するようにしている。
【００３０】
次いで、前記のように塗布用ノズル２０の先端面２１に設けたスリット状の吐出口２２から塗液ｘを被塗布体Ｗの表面に吐出させながら、走行部材１３によって塗布用ノズル２０を前記の被塗布体Ｗの上を走行させて、図３に示すように、被塗布体Ｗの表面全体に塗液ｘを塗布するようにしている。
【００３１】
また、前記のテーブルコータ１０においては、前記のように塗布用ノズル２０の先端面２１に設けたスリット状の吐出口２２から塗液ｘを被塗布体Ｗの表面に吐出させながら塗布用ノズル２０を走行させて、被塗布体Ｗの表面全体に塗液ｘを塗布させた場合、図４（Ａ），（Ｂ）に示すように、吐出口２２から吐出させた塗液ｘの一部が塗布用ノズル２０の先端部に付着して残るようになる。
【００３２】
このため、塗液ｘを被塗布体Ｗの表面に塗布させた後の塗布用ノズル２０の先端部に残った塗液ｘを除去して塗布用ノズル２０の先端部を清掃する本実施形態に係る清掃装置３０を、塗布用ノズル２０を走行させて被塗布体Ｗに塗液ｘを塗布させた被塗布体Ｗの位置よりも塗布用ノズル２０の走行方向下流側におけるテーブル１１の上に設けている。
【００３３】
ここで、この清掃装置３０においては、被塗布体Ｗよりも塗布用ノズル２０の走行方向下流側におけるテーブル１１の上に、前記の走行方向と直交する方向に延びた案内レール３１を設け、この案内レール３１の上を往復移動する清掃用移動台３２の上に、塗布用ノズル２０の先端部に残った塗液ｘを除去する清掃部材として、塗布用ノズル２０の走行方向に所要間隔を介するようにして第１清掃部材３３と第２清掃部材３４とを設け、前記の第１清掃部材３３と第２清掃部材３４とにそれぞれ、前記の塗布用ノズル２０の先端部の形状に対応した形状の切込みを有する清掃用掻き取り部３３ａ，３４ａを設けると共に、前記の第１清掃部材３３と第２清掃部材３４とをそれぞれ塗布用ノズル２０の長手方向、すなわち清掃用移動台３２を往復移動させる方向において逆方向に傾斜させて設けている。なお、この清掃装置３０においては、第１清掃部材３３と第２清掃部材３４とを、それぞれ塗布用ノズル２０の先端部を清掃させる際に移動させる方向に向けて傾斜させている。
【００３４】
また、ここでは清掃用掻き取り部３３ａ，３４ａとして、塗布用ノズル２０の先端部の形状に対応した切込みを設けた一体型の部材で説明したが、塗布用ノズル２０の先端部のＶ字状になったリップ斜面２３の左右の斜面をそれぞれ別の部材（図示せず）で掻き取るようにしてもよい。
【００３５】
また、前記の清掃装置３０においては、スリット状の吐出口２２から被塗布体Ｗの表面に塗液ｘを塗布させた後の塗布用ノズル２０の先端面２１に残った塗液ｘを確実に除去して塗布用ノズル２０の先端部を清掃するため、前記のように傾斜させた第１清掃部材３３における傾斜方向と反対側の位置に、吐出口２２が設けられた塗布用ノズル２０の先端面２１を清掃する第１先端面清掃部材３５を第１清掃部材３３と同方向に傾斜させるようにして設けると共に、第２清掃部材３４における傾斜方向と反対側の位置に、吐出口２２が設けられた塗布用ノズル２０の先端面２１を清掃する第２先端面清掃部材３６を第２清掃部材３４と同方向に傾斜させるようにして設けている。
【００３６】
ここで、前記のように塗液ｘを被塗布体Ｗの表面に塗布させた後の塗布用ノズル２０の先端部に残った塗液ｘを、前記の清掃装置３０によって塗布用ノズル２０の先端部から除去して、塗布用ノズル２０の先端部を清掃するにあたっては、先ず、図５に示すように、被塗布体Ｗの表面に塗布させた後の先端部に塗液ｘが残った状態にある塗布用ノズル２０を、前記の清掃装置３０における清掃用移動台３２の上に設けた第１清掃部材３３に導き、第１清掃部材３３に設けた清掃用掻き取り部３３ａに塗布用ノズル２０の先端部を嵌め込むようにする。
【００３７】
そして、このように塗布用ノズル２０の先端部を第１清掃部材３３に設けた清掃用掻き取り部３３ａ内に嵌め込んだ状態で、図６（Ａ），（Ｂ）に示すように、前記の第１清掃部材３３における清掃用掻き取り部３３ａと第１先端面清掃部材３５の先端面とを前記の塗布用ノズル２０の先端部に接触させるようにして、前記の清掃用移動台３２を塗布用ノズル２０の長手方向一端側から第１清掃部材３３及び第１先端面清掃部材３５の傾斜方向に向けて塗布用ノズル２０の長手方向他端側に走行させ、塗布用ノズル２０の先端部に残った塗液ｘを、前記の第１清掃部材３３と第１先端面清掃部材３５とによって塗布用ノズル２０の先端部から除去させるようにする。なお、このように第１清掃部材３３と第１先端面清掃部材３５とによって塗布用ノズル２０の先端部に残った塗液ｘを除去させる場合、前記の塗液ｘの粘度が高い場合には、塗布用ノズル２０の先端部から除去させた塗液ｘの一部が第１清掃部材３３や第１先端面清掃部材３５に付着したり、塗布用ノズル２０の先端部に塗液ｘの一部が部分的に残ったりすることがある。
【００３８】
次いで、前記のように清掃用移動台３２を塗布用ノズル２０の長手方向他端側に走行させて、第１清掃部材３３と第１先端面清掃部材３５とによって塗布用ノズル２０の先端部から塗液ｘを除去させた後の塗布用ノズル２０を、図７に示すように、前記の清掃用移動台３２の上に設けた第１清掃部材３３の位置から第２清掃部材３４の位置に移動させて、この塗布用ノズル２０の先端部を、第２清掃部材３４に設けた清掃用掻き取り部３４ａ内に嵌め込むようにする。
【００３９】
そして、このように塗布用ノズル２０の先端部を第２清掃部材３４に設けた清掃用掻き取り部３４ａ内に嵌め込んだ状態で、図８（Ａ），（Ｂ）に示すように、前記の第２清掃部材３４における清掃用掻き取り部３４ａと第２先端面清掃部材３６の先端面とを前記の塗布用ノズル２０の先端部に接触させるようにして、前記の清掃用移動台３２を先に移動させた塗布用ノズル２０の長手方向他端側から第２清掃部材３４及び第２先端面清掃部材３６の傾斜方向に向けて塗布用ノズル２０の長手方向一端側に戻すように逆方向に走行させ、塗布用ノズル２０の先端部に残っている塗液ｘを、前記の第２清掃部材３４と第２先端面清掃部材３６とによって塗布用ノズル２０の先端部から除去させるようにする。このように、塗液ｘが残った塗布用ノズル２０の先端部を、第１清掃部材３３及び第１先端面清掃部材３５によって清掃させた後、さらに第２清掃部材３４と第２先端面清掃部材３６とによって清掃させると、塗布用ノズル２０の先端部における塗液ｘが十分に除去されるようになる。
【００４０】
また、前記のようにして塗液ｘが残った塗布用ノズル２０の先端部を複数回清掃させた場合において、前記のように第１清掃部材３３と第１先端面清掃部材３５とによって塗布用ノズル２０の先端部から除去させた塗液ｘの一部が、第１清掃部材３３や第１先端面清掃部材３５に付着して蓄積し、第１清掃部材３３と第１先端面清掃部材３５に蓄積された塗液ｘの量が次第に増加して多くなると、図９（Ａ），（Ｂ）に示すように、第１清掃部材３３における清掃用掻き取り部３３ａと第１先端面清掃部材３５の先端面とを塗布用ノズル２０の先端部に接触させるようにして、清掃用移動台３２を塗布用ノズル２０の長手方向一端側から塗布用ノズル２０の長手方向他端側に走行させ、塗布用ノズル２０の先端部に残った塗液ｘを、前記の第１清掃部材３３と第１先端面清掃部材３５とによって塗布用ノズル２０の先端部から除去させる際に、第１清掃部材３３や第１先端面清掃部材３５に蓄積された塗液ｘが塗布用ノズル２０の先端部に再付着して、塗布用ノズル２０の先端部に残留する塗液ｘの量が多くなる。このため、このような塗布用ノズル２０をそのままの状態で使用して塗工を行うと、塗工不良が生じるようになる。
【００４１】
また、図９（Ａ）で第１清掃部材３３における清掃用掻き取り部３３ａと第１先端面清掃部材３５の先端面とを塗布用ノズル２０の先端部に接触させた際に、第１清掃部材３３や第１先端面清掃部材３５に蓄積されていた塗液ｘが、同図に示すように、清掃用移動台３２の走行方向上流側に再付着して、塗布用ノズル２０の先端面２１とリップ斜面２３に残ったままとなる場合もある。
【００４２】
これに対して、この実施形態においては、前記のように第１清掃部材３３と第１先端面清掃部材３５とによって清掃させた後の塗布用ノズル２０を第２清掃部材３４の位置に移動させ、図９（Ｃ），（Ｄ）に示すように、第２清掃部材３４における清掃用掻き取り部３４ａと第２先端面清掃部材３６の先端面とを前記の塗布用ノズル２０の先端部に接触させるようにして、清掃用移動台３２を先に移動させた塗布用ノズル２０の長手方向他端側から第２清掃部材３４及び第２先端面清掃部材３６の傾斜方向に向けて塗布用ノズル２０の長手方向一端側に戻すように逆方向に走行させるため、塗布用ノズル２０の先端面２１やリップ斜面２３に付着して残っている前記の塗液ｘを、前記の第２清掃部材３４と第２先端面清掃部材３６とによって塗布用ノズル２０の先端部から十分除去させることができるようになる。
【００４３】
この結果、第１清掃部材３３や第１先端面清掃部材３５に蓄積された塗液ｘが塗布用ノズル２０の先端部に再付着して、塗布用ノズル２０の先端部に残留する塗液ｘの量が多くなった場合においても、塗布用ノズル２０の先端部における塗液ｘが確実に除去されて、塗布用ノズル２０の先端部を十分に清掃できるようになる。
【００４４】
なお、塗布用ノズル２０を第１清掃部材３３から第２清掃部材３４の位置に移動させるにあたり、この実施形態においては、塗布用ノズル２０を昇降・移動させるようにしたが、操作は面倒であるが、第１清掃部材３３や第２清掃部材３４の方を移動させるようにすることも可能である。
【００４５】
また、前記の実施形態では、被塗布体Ｗの表面に塗液ｘを塗布した後に、塗布用ノズル２０の先端部を清掃するように説明したが、これを連続して行なう場合には、被塗布体Ｗの表面に塗液ｘを塗布する前に、塗布用ノズル２０の先端部を清掃するようにしてもよい。
【符号の説明】
【００４６】
１０    ：テーブルコータ
１１    ：テーブル
１２    ：走行用レール
１３    ：走行部材
２０    ：塗布用ノズル
２１    ：先端面
２２    ：吐出口
２３    ：リップ斜面
２４    ：マニホールド
２５    ：案内路
３０    ：清掃装置
３１    ：案内レール
３２    ：清掃用移動台
３３    ：第１清掃部材
３３ａ  ：清掃用掻き取り部
３４    ：第２清掃部材
３４ａ  ：清掃用掻き取り部
３５    ：第１先端面清掃部材
３６    ：第２先端面清掃部材
Ｗ      ：被塗布体
ｘ      ：塗液
【図１】
2020011186.tif 000003
【図２】
2020011186.tif 000004
【図３】
2020011186.tif 000005
【図４】
2020011186.tif 000006
【図５】
2020011186.tif 000007
【図６】
2020011186.tif 000008
【図７】
2020011186.tif 000009
【図８】
2020011186.tif 000010
【図９】
2020011186.tif 000011
【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
被塗布体の上を走行する方向と交差する方向に長くなった塗布用ノズルを用い、この塗布用ノズルの被塗布体と対向する先端面に塗液を吐出させるスリット状の吐出口を塗布用ノズルの長手方向に沿って設け、前記の塗布用ノズルを前記の被塗布体の上を走行させると共に、前記のスリット状の吐出口から塗液を吐出させて、被塗布体の表面に塗液を塗布させた後、スリット状の吐出口が設けられた塗布用ノズルの先端面を含む先端部に残った塗液を、塗布用ノズルの先端部に沿って塗布用ノズルの下方を移動する清掃部材によって除去して、塗布用ノズルの先端部を清掃する塗布用ノズルの清掃装置において、前記の清掃部材として、前記の塗布用ノズルの先端部の形状に対応した清掃用掻き取り部を設けた第１清掃部材と第２清掃部材とを前記の塗布用ノズルの走行方向に所要間隔を介するように設けると共に、前記の第１清掃部材と第２清掃部材とを、前記の塗布用ノズルの下方から塗布用ノズルの先端部に向けて、塗布用ノズルの長手方向に対して逆方向に向かうように傾斜させ、前記の第１清掃部材と第２清掃部材とにおける清掃用掻き取り部を塗布用ノズルの先端部に沿うようにして、第１清掃部材と第２清掃部材とを順番にそれぞれ塗布用ノズルの先端部に沿って逆方向に移動させて、塗布用ノズルの先端部を清掃することを特徴とする塗布用ノズルの清掃装置。
【請求項２】
請求項１に記載の塗布用ノズルの清掃装置において、前記の第１清掃部材と第２清掃部材とを、それぞれ塗布用ノズルの先端部を清掃する場合の移動方向に向かうように前記の塗布用ノズルの下方から塗布用ノズルの先端部に向けて傾斜させたことを特徴とする塗布用ノズルの清掃装置。
【請求項３】
請求項１又は請求項２に記載の塗布用ノズルの清掃装置において、前記の第１清掃部材の移動方向下流側にスリット状の吐出口が設けられた塗布用ノズルの先端面を清掃する第１先端面清掃部材を設けると共に、前記の第２清掃部材の移動方向下流側にスリット状の吐出口が設けられた塗布用ノズルの先端面を清掃する第２先端面清掃部材を設けたことを特徴とする塗布用ノズルの清掃装置。
【請求項４】
請求項１〜請求項３の何れか１項に記載の塗布用ノズルの清掃装置において、塗布用ノズルの先端部を前記の第１清掃部材と第２清掃部材とによって清掃するにあたり、前記の塗布用ノズルを前記の第１清掃部材と第２清掃部材とに対して相対的に昇降・移動可能に設け、前記の塗布用ノズルの先端部を前記の第１清掃部材における清掃用掻き取り部内に導き、この第１清掃部材によって塗布用ノズルの先端部を清掃し、次いで、前記の塗布用ノズルの先端部を第２清掃部材における清掃用掻き取り部内に導き、この第２清掃部材によって塗布用ノズルの先端部を清掃することを特徴とする塗布用ノズルの清掃装置。
【手続補正２】
【補正対象書類名】明細書
【補正対象項目名】００１５
【補正方法】変更
【補正の内容】
【００１５】
本発明に係る塗布用ノズルの清掃装置においては、前記のような課題を解決するため、被塗布体の上を走行する方向と交差する方向に長くなった塗布用ノズルを用い、この塗布用ノズルの被塗布体と対向する先端面に塗液を吐出させるスリット状の吐出口を塗布用ノズルの長手方向に沿って設け、前記の塗布用ノズルを前記の被塗布体の上を走行させると共に、前記のスリット状の吐出口から塗液を吐出させて、被塗布体の表面に塗液を塗布させた後、スリット状の吐出口が設けられた塗布用ノズルの先端面を含む先端部に残った塗液を、塗布用ノズルの先端部に沿って塗布用ノズルの下方を移動する清掃部材によって除去して、塗布用ノズルの先端部を清掃する塗布用ノズルの清掃装置において、前記の清掃部材として、前記の塗布用ノズルの先端部の形状に対応した清掃用掻き取り部を設けた第１清掃部材と第２清掃部材とを前記の塗布用ノズルの走行方向に所要間隔を介するように設けると共に、前記の第１清掃部材と第２清掃部材とを、前記の塗布用ノズルの下方から塗布用ノズルの先端部に向けて、塗布用ノズルの長手方向に対して逆方向に向かうように傾斜させ、前記の第１清掃部材と第２清掃部材とにおける清掃用掻き取り部を塗布用ノズルの先端部に沿うようにして、第１清掃部材と第２清掃部材とを順番にそれぞれ塗布用ノズルの先端部に沿って逆方向に移動させて、塗布用ノズルの先端部を清掃するようにした。
【手続補正３】
【補正対象書類名】明細書
【補正対象項目名】００１６
【補正方法】変更
【補正の内容】
【００１６】
そして、本発明に係る塗布用ノズルの清掃装置のように、清掃部材として、塗布用ノズルの先端部の形状に対応した清掃用掻き取り部を設けた第１清掃部材と第２清掃部材とを前記の塗布用ノズルの走行方向に所要間隔を介するように設け、第１清掃部材と第２清掃部材とを、前記の塗布用ノズルの下方から塗布用ノズルの先端部に向けて、塗布用ノズルの長手方向に対して逆方向に向かうように傾斜させ、第１清掃部材と第２清掃部材とにおける清掃用掻き取り部を塗布用ノズルの先端部に沿うようにして、第１清掃部材と第２清掃部材とを順番にそれぞれ塗布用ノズルの先端部に沿って逆方向に移動させて、塗布用ノズルの先端部を清掃すると、塗布用ノズルの先端部から除去された塗液の一部が一方の清掃部材に付着されて蓄積され、このように蓄積された塗液が一方の清掃部材から塗布用ノズルの先端部に付着されても、付着された塗液が他方の清掃部材によって塗布用ノズルの先端部から適切に除去されるようになる。
【手続補正４】
【補正対象書類名】明細書
【補正対象項目名】００１７
【補正方法】変更
【補正の内容】
【００１７】
ここで、本発明に係る塗布用ノズルの清掃装置において、前記の第１清掃部材と第２清掃部材とを、塗布用ノズルの走行方向と交差する塗布用ノズルの先端部の長手方向において逆方向に向けて傾斜させるにあたり、第１清掃部材と第２清掃部材とを、それぞれ塗布用ノズルの先端部を清掃する場合の移動方向に向かうように前記の塗布用ノズルの下方から塗布用ノズルの先端部に向けて傾斜させることが好ましい。このようにすると、ポリイミド等のような粘度の高い塗液を使用した場合においても、塗布用ノズルの先端部に残った塗液が、前記のように移動方向に向けて傾斜させた第１清掃部材や第２清掃部材によって下方向に確実に掻き落とせるようになって、塗布用ノズルの先端部に残った塗液を十分に除去させることができるようになる。